(57)【要約】【課題】  簡素な構成で、粘着点がなく、工業化の普及に適した衛生シガレットケースの嵌め込み片を提供する。【解決手段】  前横折線７と後横折線８とは、互いに平行に延び、かつ、両方共に嵌め込み片の中間部に位置している。左縦折線９と右縦折線１０とは、互いに平行に延び、かつ、両方共に前横折線７の下方に位置している。四つの折線によって、正面１２、左側面１３、右側面１４、背面１５、および密閉面６に分割されている。密閉面６は、前横折線７と後横折線８との間の部分からなっている。左側面１３の上端縁は前横折線７よりも低く、正面１２の左側の部分の上端縁も前横折線７よりも低い。【選択図】  図４
2008509057.tif 000002
【特許請求の範囲】
【請求項１】
シガレットケースの外装ハウジングと内装アルミ箔紙との間に位置する衛生シガレットケースの嵌め込み片であって、
横方向に延びる前横折線および後横折線と、縦方向に延びる左縦折線および右縦折線との四つの折線が設けられており、
前記前横折線と前記後横折線とは、互いに平行に延び、かつ、両方共に嵌め込み片の中間部に位置し、
前記左縦折線と前記右縦折線とは、互いに平行に延び、かつ、両方共に前記前横折線の下方に位置し、
前記四つの折線によって、正面、左側面、右側面、背面、および密閉面の五つの部分に分割され、
前記密閉面は、前記前横折線と前記後横折線との間の部分からなり、
左側面の上端縁は前記前横折線よりも低く、正面の左側の部分の上端縁は前記前横折線よりも低いことを特徴とする衛生シガレットケースの嵌め込み片。
【請求項２】
前記正面の左側の前記上端縁に凹部が形成されており、前記背面の上端縁にも前記正面における前記凹部に対応する凹部が形成されていることを特徴とする請求項１に記載の衛生シガレットケースの嵌め込み片。
【請求項３】
前記右側面の上端縁は、前記前横折線と同じ高さを有することを特徴とする請求項１または２に記載の衛生シガレットケースの嵌め込み片。
【請求項４】
板紙をダイカットしてなることを特徴とする請求項１〜３のいずれか一つに記載の衛生シガレットケースの嵌め込み片。
【請求項５】
シガレットケースの外装ハウジングと、該外装ハウジング内に位置する内装アルミ箔紙とを備える衛生シガレットケースであって、
前記請求項１〜４のいずれか一つに記載の前記嵌め込み片をさらに備えており、
前記嵌め込み片は、前記外装ハウジングと前記内装アルミ箔紙との間に位置することを特徴とする衛生シガレットケース。
【発明の詳細な説明】
【技術分野】
【０００１】
本発明は、シガレットの包装技術に関し、特に、上面に合計四つの折線が横方向に二つ、縦方向に二つ設けられ、その中の二つの折線で密閉面が規定されている衛生シガレットケースの嵌め込み片（ライナ、ライニング、inner liner）と、この嵌め込み片を備える衛生シガレットケースに関する。
【背景技術】
【０００２】
ハードパッケージのカバー開き型のシガレットケースは６０年前に英国で発明され、現在はシガレット包装の主な形式になっている。しかしながら、これにはシガレットの吸い口部を指で触れると言う致命的な欠陥があって、喫煙者に隠れた衛生危険を与え、社会の各業界の大きい注目を集めることになっている。この問題について、中国消費者協会では、２００１年５月に「喫煙は病気が口から入ることになる重要な経路」をテーマとし、第６号消費警告を発布して、シガレットが疾病を伝播すると言う弁論できない事実に警告を提出して、関係部門に現行の吸い口部のシガレットの包装方法を変えることを呼びかけた。
【０００３】
特許文献１に開示された「衛生シガレットケース」は、このような背景の下に発明された。この「衛生シガレットケース」は、側面を開いて、シガレットの中間部を指で挟んでシガレットを取ることによって、細菌、ウィルスの感染を防止し、シガレットの包装を更新させて画期的な改良の動向として現れている。しかしながら、この特許文献１に開示された「衛生シガレットケース」において、刻み煙草が外部に露出されることを防止し、かつシガレットが外部に落ちることを防止するための密閉面は、嵌め込み片に設けられている二つの突起を粘着してなるため、巻き煙草の包装機の改良技術の難しさを増やし、包装品質に影響を与えるようになる不安な要素が隠れている。
【０００４】
【特許文献１】中国特許公開公報ＣＮ１１３７８４２Ｃ（中国特許出願０１１３１３９５．１）
【発明の開示】
【発明が解決しようとする課題】
【０００５】
本発明は、「衛生シガレットケース」の特許技術の要求を満たし、現行の巻き煙草の包装設備に適応し、粘着することなく直ぐに成型することができる衛生シガレットケースの嵌め込み片を提供し、「衛生シガレットケース」の工業化の適用のための条件を創造することを主な目的とする。
【０００６】
本発明の他の目的は、このような嵌め込み片を含んでいる衛生シガレットケースを提供することにある。
【課題を解決するための手段】
【０００７】
上記の目的を達成するための本発明の技術解決方案は、衛生シガレットケースの嵌め込み片を提供する方案であって、この嵌め込み片は、板紙をダイカット（die cutting）してなることが好ましい。この嵌め込み片は、シガレットケースの外装ハウジングと内装アルミ箔紙との間に位置し、内装アルミ箔紙はシガレットを包んでいる。嵌め込み片には、合計四つの折線が横方向に二つ、縦方向に二つ設けられている。前横折線と後横折線とは、互いに平行に延び、かつ、両方共に嵌め込み片の中間部に位置し、左縦折線と右縦折線とは、互いに平行に延び、かつ、両方共に前横折線の下方に位置している。四つの折線によって、正面、左側面、右側面、背面、および密閉面の五つの部分に分割され、密閉面は前横折線と後横折線との間の部分からなり、左側面の上端縁は前横折線よりも低く、正面の左側の部分の上端縁は前横折線よりも低い。
【０００８】
本発明によると、シガレットにおける刻み煙草の一端は密閉面内に位置しているため、刻み煙草は外部に露出されず、かつ、シガレットが自由に外部に落ちることを防止することができる。
【０００９】
本発明の好ましい技術方案によると、嵌め込み片は二つの縦折線により分割されてシガレットパッケージの正面、左側面、および右側面を構成する。また、正面の左側の前記上端縁に凹部が形成され、背面の上端縁にも前記正面における凹部と対応する凹部が形成されている。該二つの凹部は、シガレットの中間部を指で挟むための空間を提供し、かつ、シガレットを取り出すための通路を形成する。右側面の上端縁は、上記の密閉面に合わせてシガレットパッケージの密閉端を構成するように、前横折線と同じ高さを有することが好ましい。この発明は、巻き煙草の包装機で折り畳んで成型する場合に、粘着する必要がなく、容易に成型を実現することができる。
【００１０】
本発明の嵌め込み片は、「衛生シガレットケース」の技術要求を満たし、現行の巻き煙草の包装設備に適応し、粘着することなくて成型を実現することができ、設備の改良の難しさが低く、成果を容易に転化して、衛生シガレットケースの工業化の使用を促進することができる。
【００１１】
本発明はさらに、このような嵌め込み片を有する衛生シガレットケースを提供し、嵌め込み片は、シガレットケースの外装ハウジングと内装アルミ箔紙との間に設置されている。
【発明の効果】
【００１２】
本発明の嵌め込み片は、簡素な構成で、粘着点がなく、工業化の普及に適している。
【発明を実施するための最良の形態】
【００１３】
衛生シガレットケースのカバーの開いた状態の模式図である図１に示すように、衛生シガレットケースは、シガレットケースの外装ハウジング１と、内装アルミ箔紙３と、外装ハウジング１と内装アルミ箔紙３との間の嵌め込み片２とからなっている。内装アルミ箔紙はシガレットを包み、嵌め込み片は板紙をダイカットしてなることが好ましい。
【００１４】
衛生シガレットケースの使用状態の模式図である図２に示すように、開口端の内装アルミ箔紙を引き破った後に、上端のシガレット４の吸い口部５を含む大部分が見えるようになる。密閉面６は、刻み煙草が外部に露出されることなく、かつ、シガレット４がケースのカバーに向かって自由に落ちることを防止することができる。シガレットを取る場合には、シガレット４の中間部を指で挟むことにより、吸い口部５に指が触れることが回避される。
【００１５】
本発明の嵌め込み片の展開図である図３に示すように、嵌め込み片には、合計四つの折線が横方向に二つ、縦方向に二つ設けられている。前横折線７は、後横折線８に対して平行に延び、かつ、両方の横折線共に嵌め込み片の中間部に位置している。左縦折線９は、右縦折線１０に対して平行に延び、かつ、両方の縦折線共に前横折線７の下方に位置している。
【００１６】
これら四つの折線は、嵌め込み片を合計５部分である正面１２、左側面１３、右側面１４、背面１５、および密閉面６に分割させている。密閉面６は、前横折線７と後横折線８との間の部分からなっている。左側面１３の上端縁は、前横折線７よりも低く、正面１２の左側部の上端縁も、前横折線７よりも低い。
【００１７】
正面１２の左側部の上端縁には凹部１１が形成され、同様に、背面１５の上端縁にも、正面における凹部１１に対応する凹部１１’が形成されている。凹部１１、１１’は、シガレットの中間部を指で挟むための空間を提供する。右側面１４の上端縁は、前横折線７と同じ高さになることが好ましい。
【００１８】
本発明の折り畳んで成型した後の構成の模式図である図４に示すように、前横折線７および後横折線８に沿って折り畳まれると、シガレットケースの開口端に密閉面６が形成される。刻み煙草が少したりとも外部に露出されることなく、かつシガレット４が自由に外部に落ち得ることを避けるように、シガレット４の刻み煙草端は、密閉面６内に位置する。
【００１９】
さらに、左縦折線９に沿って折り畳まれると、シガレットケースの開口端に一つの左側面１３が形成される。左側面１３の上端縁は前横折線７よりも低く、正面１２の中間部には凹部１１が構成され、同様に正面１２における凹部１１に対応するように、背面１５にも凹部１１’が構成される。凹部１１、１１’は、シガレット４の中間部を指で挟むために空間を提供し、かつ、シガレット４を取り出す通路として機能する。
【００２０】
さらに、右縦折線１０に沿って折り畳まれると、シガレットケースの開口端に一つの右側面１４が形成される。右側面１４は、密閉面６および背面１５と共に、シガレットパッケージの密閉端を構成する。
【００２１】
本発明はさらに、衛生シガレットケースを提供する。この衛生シガレットケースは、シガレットケースの外装ハウジングと、このシガレットケースの外装ハウジング内に位置している内装アルミ箔紙と、上記嵌め込み片とを含んでいる。嵌め込み片は、シガレットケースの外装ハウジングと内装アルミ箔紙との間に位置している。
【００２２】
本発明の嵌め込み片は、簡素な構成で、粘着点がなく、工業化の普及に適している。
【００２３】
以上、本発明について例示的な説明をしたが、本発明の趣旨と付属した請求の範囲を逸脱しない場合、いかなる変形、修正、あるいは、等価的な置換は全て本発明に含まれることは、理解されるべきことである。
【図面の簡単な説明】
【００２４】
【図１】本発明による衛生シガレットケースのカバーの開いた状態の斜視図である。
【図２】衛生シガレットの使用状態の斜視図である。
【図３】本発明による嵌め込み片の展開図である。
【図４】本発明による嵌め込み片を折り畳んで成型した後の斜視図である。
【符号の説明】
【００２５】
１    外装ハウジング
２    嵌め込み片
３    内装アルミ箔紙
４    シガレット
５    吸い口部
６    密閉面
７    前横折線
８    後横折線
９    左縦折線
１０    右縦折線
１１、１１’    凹部
１２    正面
１３    左側面
１４    右側面
１５    背面
【図１】
2008509057.tif 000003
【図２】
2008509057.tif 000004
【図３】
2008509057.tif 000005
【図４】
2008509057.tif 000006
【国際調査報告】
2008509057.tif 000007
2008509057.tif 000008
2008509057.tif 000009
2008509057.tif 000010
2008509057.tif 000011